(57)【要約】【課題】商品を簡単な陳列作業で効果的に陳列できる陳列箱を提供する。【解決手段】外箱１の内部にトレー２を挿入し、外箱１の前壁３の下部に形成した開口部からトレー２を手前に引き出して、トレー２の底壁２１の後部に連設した誘導板２５を外箱１の後壁５に当接するように後上がりに傾斜させた状態で、商品を陳列するようにした陳列箱において、前記トレー２の後部に、両側壁２４から底壁２１への切込により下方へ突出する脚片２９を形成し、トレー２の底壁２１を後方が高くなるように傾斜させる。商品がトレー２の前端部まで転動し、多数の商品が外箱１から露出したトレー２の前端部に集まるので、優れた陳列効果を得ることができる。【選択図】図５
2005088943.tif 000002
【特許請求の範囲】
【請求項１】
外箱の内部にトレーを挿入し、外箱の前壁下部に形成した開口部からトレーを手前に引き出して、トレーの底壁の後部に連設した誘導板を外箱の後壁に当接するように後上がりに傾斜させた状態で、商品を陳列するようにした陳列箱において、前記トレーの後部に、両側壁から底壁への切込により下方へ突出する脚片を形成し、トレーの底壁を後方が高くなるように傾斜させたことを特徴とする陳列箱。
【請求項２】
前記トレーの後部に、両側壁から上方へ突出する抜止片を設け、トレーを手前に引き出すと、抜止片が外箱の前壁に当接して、外箱からトレーが抜け止めされるようにしたことを特徴とする請求項１に記載の陳列箱。
【発明の詳細な説明】
【技術分野】
【０００１】
この発明は、球状等の転動しやすい商品を収納して店頭で陳列するトレー付きの箱に関するものである。
【背景技術】
【０００２】
従来、この種の陳列箱として、下記特許文献１に示されたものが知られている。この陳列箱は、図７に示すように、前壁下部が開口した外箱５１の内部に、トレー５２を手前に引き出せるように挿入し、トレー５２の水平な底壁５３の後部に誘導板５４を連設し、トレー５２の引き出しに伴い、誘導板５４を直立状態から後上がりに傾斜した状態に遷移させて、トレー５２上の商品Ｃを前方へ転動させるようになっている。
【特許文献１】米国特許第４８０５７６５号公報
【発明の開示】
【発明が解決しようとする課題】
【０００３】
しかしながら、上記のような陳列箱では、トレー５２の底壁５３が水平になっているため、商品Ｃがトレー５２の前端部まで達しないことがあり、十分な陳列効果が得られない場合があった。
【０００４】
そこで、この発明は、商品を簡単な陳列作業で効果的に陳列できる陳列箱を提供することを課題とする。
【課題を解決するための手段】
【０００５】
上記課題を解決するため、この発明は、外箱の内部にトレーを挿入し、外箱の前壁下部に形成した開口部からトレーを手前に引き出して、トレーの底壁の後部に連設した誘導板を外箱の後壁に当接するように後上がりに傾斜させた状態で、商品を陳列するようにした陳列箱において、前記トレーの後部に、両側壁から底壁への切込により下方へ突出する脚片を形成し、トレーの底壁を後方が高くなるように傾斜させたのである。
【発明の効果】
【０００６】
このように、トレーに脚片を形成して、トレーの底壁を誘導板と共に後方が高くなるように傾斜させると、商品がトレーの前端部まで転動し、多数の商品が外箱から露出したトレーの前端部に集まるので、優れた陳列効果を得ることができる。
【発明を実施するための最良の形態】
【０００７】
以下、この発明の実施の形態を添付図面に基づいて説明する。この陳列箱は、図１にブランク状態で示すように、外箱１とトレー２とから構成される。
【０００８】
外箱１のブランクでは、前壁３の両側縁に側壁４が連設され、一方の側壁４には後壁５及び継代片６が順次連設されている。側壁４の下縁には底片７が、前壁３及び後壁５の下縁には底板８がそれぞれ連設され、側壁４の上縁には蓋片９が、後壁５の上縁には蓋板１０が、蓋板１０の先端縁には差込片１１がそれぞれ連設されている。前壁３の中間下部には、鉤形の断続切目を二本並行させたジッパ１２が形成され、その両端から下方へミシン目１３が入れられている。
【０００９】
トレー２のブランクでは、底壁２１の前縁に前壁２２及び重合板２３が順次連設され、底壁２１の両側縁には側壁２４が、後縁には誘導板２５がそれぞれ連設されている。重合板２３の先端には係合突起２６が、底壁２１の前部には係合穴２７がそれぞれ設けられ、側壁２４の前縁には挟持片２８が連設されている。側壁２４の後部には、底壁２１への切込により脚片２９が形成されると共に、外方へ突出する抜止片３０が設けられている。
【００１０】
上記ブランクから外箱１を組み立てるには、図２に示すように、前壁３、一対の側壁４及び後壁５を角筒状に折り曲げ、継代片６を反対側の側壁４に貼り付けて周壁を形成し、底片７と底板８とを一組ずつ貼り合わせ、底板８同士を噛み合わせて底面を閉止する。
【００１１】
また、トレー２を組み立てるには、底壁２１から一対の側壁２４を起立させ、挟持片２８を内側へ折り曲げ、前壁２２を上方へ、重合板２３を下方へ折り曲げて、前壁２２と重合板２３の間に挟持片２８を挟み込み、係合突起２６を係合穴２７に係合させる。このとき、脚片２９が底壁２１から下方へ突出する。
【００１２】
そして、トレー２の誘導板２５を上方へ折り曲げつつ、外箱１にトレー２を挿入し、商品の玩具が入ったカプセルＣをトレー２に載せるように収納して、蓋片９を内側へ折り曲げ、蓋板１０を閉じ、差込片１１を箱内に差し込む。
【００１３】
このようにカプセルＣを収納した陳列箱を小売店へ配送し、店頭でカプセルＣを陳列する際には、図３に示すように、ジッパ１２を引き裂いて、ミシン目１３を切断し、図４に示すように、外箱１の前壁３の下部を手前に倒して開口させた後、図５及び図６に示すように、その開口部からトレー２を手前に引き出す。なお、美観を考慮する場合には、前壁３の下部を底板８と共に除去する。
【００１４】
このような陳列状態では、トレー２の底壁２１が脚片２９に支持されて、後方が高くなるように傾斜すると共に、誘導板２５が外箱１の後壁５に当接して、急な角度で傾斜するので、カプセルＣは、トレー２の後方へこぼれることなく、トレー２の前端部まで転動して、多数のカプセルＣが外箱１から露出したトレー２の前端部に集まり、優れた陳列効果を得ることができる。
【００１５】
また、上記陳列作業時に、トレー２を外箱１の開口部から手前に引き出す際、抜止片３０が外箱１の前壁３に当接して、トレー２が外箱１から抜け止めされるので、外箱１からトレー２が抜け出す恐れがなく、安心してトレー２を最大限引き出すことができる。
【００１６】
なお、蓋板１０の中間部に横方向の折目線を設けておき、陳列時には、開いた蓋板１０をその折目線に沿って前方へ折り返した状態で起立させ、蓋板１０の前側に印刷した図柄がよく見えるようにして、広告効果を高めるようにしてもよい。
【図面の簡単な説明】
【００１７】
【図１】この発明の実施形態に係る陳列箱のブランクを示す図
【図２】同上の包装状態を示す斜視図
【図３】同上の陳列状態への変形過程を示す斜視図
【図４】同上の陳列状態への変形過程を示す斜視図
【図５】同上の陳列状態を示す斜視図
【図６】同上の縦断側面図
【図７】従来の陳列箱の陳列状態を示す縦断側面図
【符号の説明】
【００１８】
１  外箱
２  トレー
３  前壁
４  側壁
５  後壁
６  継代片
７  底片
８  底板
９  蓋片
１０  蓋板
１１  差込片
１２  ジッパ
１３  ミシン目
２１  底壁
２２  前壁
２３  重合板
２４  側壁
２５  誘導板
２６  係合突起
２７  係合穴
２８  挟持片
２９  脚片
３０  抜止片
【図１】
2005088943.tif 000003
【図２】
2005088943.tif 000004
【図３】
2005088943.tif 000005
【図４】
2005088943.tif 000006
【図５】
2005088943.tif 000007
【図６】
2005088943.tif 000008
【図７】
2005088943.tif 000009